(57)【特許請求の範囲】
【請求項１】
リモコン送信機の幾つかのキーに複数の文字が各々割り付けられており、前記キーの操作によってリモコン送信機から出力される信号を文字入力信号として扱う文字入力機能を備えた放送受信装置において、各キーに割り付けた複数の文字の出力順序を非固定とし、先頭文字として又は既に確定された文字に続く文字として確率の高い順に文字を出力する手段と、前記出力された文字を画面表示する手段と、確定された文字列をメッセージとしてメモリに記憶する手段と、前記メッセージをファクシミリ送信する手段と、を備え、ファクシミリ送信のためのメッセージ作成画面上にはファクシミリ番号入力欄を設け、この欄での文字入力においては数字キーはその割り当てられた数字の入力キーとして機能するように構成されたことを特徴とする放送受信装置。
【請求項２】
リモコン送信機の幾つかのキーに複数の文字が各々割り付けられており、前記キーの操作によってリモコン送信機から出力される信号を文字入力信号として扱う文字入力機能を備えた放送受信装置において、文字情報が多重された放送波から文字情報を取り出す手段と、取り出した文字情報をメッセージとしてメモリに記憶する手段と、前記メッセージをファクシミリ送信する手段と、を備え、ファクシミリ送信のためのメッセージ作成画面上にはファクシミリ番号入力欄を設け、この欄での文字入力においては数字キーはその割り当てられた数字の入力キーとして機能するように構成されたことを特徴とする放送受信装置。
【請求項３】
請求項２に記載の放送受信装置において、前記メモリに記憶した文字情報を画面表示し、前記文字入力機能にて前記文字情報の修正が行なえるように構成したことを特徴とする放送受信装置。
【請求項４】
請求項２又は請求項３に記載の放送受信装置において、各キーに割り付けた複数の文字の出力順序を非固定とし、先頭文字として又は既に確定された文字に続く文字として確率の高い順に文字を出力するように構成したことを特徴とする放送受信装置。
【請求項５】
請求項１乃至請求項４のいずれかに記載の放送受信装置において、前記メッセージ作成後の第１回目の電源ＯＮ時又は第１回目から所定回数目までの電源ＯＮ時に前記メモリに格納されているメッセージを画面出力するように構成したことを特徴とする放送受信装置。
【発明の詳細な説明】
【０００１】
【産業上の利用分野】
この発明は、文字入力機能を搭載した放送受信装置に関する。
【０００２】
【従来の技術】
文字入力機能を搭載した放送受信装置（メモテレビ）が知られている。文字入力機能における文字入力方法としては、携帯電話等のキー操作と同様にマルチタップ方式が採用されている。例えば、数字の２キーに「Ａ」「Ｂ」「Ｃ」がこの順で割り当てられている場合においては、ユーザが「Ｃ」の入力を望むときには、２キーを３回押すことになる。
【０００３】
【発明が解決しようとする課題】
しかしながら、一つの数字キーに複数の文字を順番を固定した状態で割り当てているため、望みの文字を得るために割り当て順に等しい回数だけキーを押下する必要がある。このため、従来の放送受信装置においてメッセージを入力するには多数回のキー操作が必要になっていた。
【０００４】
この発明は、上記の事情に鑑み、文字入力のためのキー操作回数を減らし、メッセージ入力に要する時間を短縮することができる放送受信装置を提供することを目的とする。
【０００５】
【課題を解決するための手段】
この発明の放送受信装置は、上記課題を解決するために、リモコン送信機の幾つかのキーに複数の文字が各々割り付けられており、前記キーの操作によってリモコン送信機から出力される信号を文字入力信号として扱う文字入力機能を備えた放送受信装置において、各キーに割り付けた複数の文字の出力順序を非固定とし、先頭文字として又は既に確定された文字に続く文字として確率の高い順に文字を出力する手段と、前記出力された文字を画面表示する手段と、確定された文字列をメッセージとしてメモリに記憶する手段とを備えたことを特徴とする。
【０００６】
上記の構成であれば、各キーに割り付けた複数の文字は、先頭文字であれば先頭文字として確率の高い順に出力され、又、既に確定された文字に続く文字であれば既に確定された文字に続く文字として確率の高い順に出力されるので、望みの文字を得るために割り当て順に等しい回数だけキーを押下する従来の構成に比べ、文字入力のためのキー操作回数を減らし、メッセージ入力に要する時間を短縮することができる。
【０００７】
また、この発明の放送受信装置は、リモコン送信機の幾つかのキーに複数の文字が各々割り付けられており、前記キーの操作によってリモコン送信機から出力される信号を文字入力信号として扱う文字入力機能を備えた放送受信装置において、文字情報が多重された放送波から文字情報を取り出す手段と、取り出した文字情報をメッセージとしてメモリに記憶する手段と、を備えたことを特徴とする。
【０００８】
上記の構成であれば、放送波から取得した文字情報をメッセージとして利用することができるので、文字入力のためのキー操作回数を減らし、メッセージ入力に要する時間を短縮することができる。
【０００９】
上記文字情報を利用する放送受信装置において、前記メモリに記憶した文字情報を画面表示し、前記文字入力機能にて前記文字情報の修正が行なえるように構成するのがよい。かかる構成であれば、放送波から取得した文字情報をそのままメッセージとして利用するだけでなく、所望の修正を行なった内容のメッセージとすることができる。
【００１０】
上記文字情報を利用する放送受信装置において、各キーに割り付けた複数の文字の出力順序を非固定とし、先頭文字として又は既に確定された文字に続く文字として確率の高い順に文字を出力するように構成するのがよい。
【００１１】
上記いずれかの放送受信装置において、前記メッセージ作成後の第１回目の電源ＯＮ時又は第１回目から所定回数目までの電源ＯＮ時に前記メモリに格納されているメッセージを画面出力するように構成してもよい。
【００１２】
上記いずれかの放送受信装置において、回線を用いて情報を送信する送信手段を備え、前記メッセージを前記送信手段にて送信するように構成してもよい。
【００１３】
【発明の実施の形態】
以下、この発明の実施形態を図１乃至図７に基づいて説明するが、ここではユーザがアナログ放送を視聴する場合を例示している。図１はこの実施形態のテレビジョン受信装置を示したブロック図であり、図２はリモコン送信機の外観を示した平面図であり、図３はリモコン送信機１０の各テンキーに割り与える文字を示した説明図であり、図４はメッセージ入力機能使用時の処理内容を示したフローチャートであり、図５はメッセージ入力画面の説明図であり、図６は受信装置起動時の処理内容を示したフローチャートであり、図７はメッセージＦＡＸ機能使用時の入力画面の説明図である。
【００１４】
アンテナ１は受信した放送波を電気信号に変換してチューナ２に供給する。チューナ２は、希望チャンネルの信号と局部発振信号とを混合して中間周波数信号を生成する。検波回路３は、中間周波数の映像信号を検波することによってコンポジットのカラーテレビ信号（輝度信号、搬送色信号、同期信号）を取り出す。ビデオ信号処理回路４は、色副搬送波を発生し、これを用いて搬送色信号から色差信号を復調し、この色差信号から色信号（Ｒ，Ｇ，Ｂ）を生成するなどの処理を行う。ドライブ回路８は、色信号や輝度信号を受像管９の駆動に必要な大きさに増幅したり、カラーテレビ信号の中から同期信号を取り出し、垂直同期信号と水平同期信号とに分けて受像管９に与える。
【００１５】
テレテキスト情報抜取部５は、カラーテレビ信号に含まれているテレテキスト情報（例えば、走査線の６ラインから２２ラインに重畳されている）を抜き取る処理を行う。テレテキストデコーダ６は、抜き取られたテレテキスト情報をデコードし、文字表示信号（ＲＧＢ信号）を生成して混合回路１２に供給するとともに、コントロールビットや局名情報などをＣＰＵ１３に供給する。
【００１６】
混合回路１２は、テレテキストデコーダ６から出力される文字表示信号及びキャラクタジェネレータ７から出力される文字表示信号（チャンネル番号の数字等）を前記ビデオ信号処理回路４から出力される映像信号に加える。
【００１７】
リモコン送信機１０は、テレビジョン受信装置に指令を送出するための送信機である。このリモコン送信機１０に設けられたキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００１８】
リモコン送信機１０は、例えば、図２に示すような外観を有しており、０〜９のテンキーには複数の文字が各々割り付けられている。例えば、図３に示すように、数字の２キーに対して「Ａ」「Ｂ」「Ｃ」「２」、数字の３キーに対して「Ｄ」「Ｅ」「Ｆ」「３」のごとく、各テンキーに４つ又は５つの文字（アルファベット，数字，記号）が割り当てられている。文字入力モードにおいては、例えば数字の２キーが押されると、その信号を「Ａ」「Ｂ」「Ｃ」「２」のいずれかの文字を意味する文字入力信号としてＣＰＵ１３は認識することになる。また、テンキーを押下して表示された文字がユーザ所望の文字でなかった場合には、ＮＥＸＴキーを押すことで前記テンキーに割り当てられた文字のなかから別の文字を選択して表示させることができる。
【００１９】
ＣＨＵＰキー／ＣＨＤＯＷＮキー／ＶＯＬ＋キー／ＶＯＬ−キーは、文字入力モードにおいては、それぞれＵＰキー／ＤＯＷＮキー／ＲＩＧＨＴキー／ＬＥＦＴキーとして機能し、カーソルの移動及びスクロールに用いられる。ＭＥＳＳＡＧＥキーは文字入力モードと通常モードとの切替えに用いられ、ＣＬＥＡＲキーは不揮発性メモリ１４に記憶されたメッセージ記憶内容を消去すると共に、メッセージ入力画面の文字を消去するのに用いられる。
【００２０】
ＳＡＶＥキーは、メッセージ入力画面において作成した文章（確定文字列）を不揮発性メモリ１４に記憶させる場合に用いる。また、ＳＡＶＥキーは、この実施形態では、文字放送により画面表示されているテレテキスト情報をメッセージ内容として不揮発性メモリ１４に記憶させる場合にも用いるようにしている。ＦＡＸキーはＦＡＸ番号／文字入力モードに切替える際、及び送信実行キーとして使用する。なお、画面上において「文字入力モード」や「ＦＡＸ」のごとく表示を行い、この表示部がユーザによって選択された場合にモード切り替えを行うこととしてもよい。
【００２１】
不揮発性メモリ（例えばＥＥＰＲＯＭ等）１４には、上述したメッセージ内容などが格納される。
【００２２】
ＣＰＵ１３は、このテレビジョン受信装置における全体制御を行うものであるが、特にこの発明にかかる制御として、メッセージ入力制御を実行するようになっている。ここで、ＣＰＵ１３にソフトウェアを与える図示しないＲＯＭには、文字選択のためのプログラム及びデータベースが存在している。データベースとしては、文字中の一定の位置において或る文字（記号，数字を含む）が表れる確率情報を保持するものを用いることができ、例えば、４文字「ＡＮＴＬ」に続く文字として確率が高い順は、「Ｗ」「Ｘ」「Ｙ」「Ｚ」「９」のなかでは、「Ｙ」＞「Ｗ」＞「Ｘ」＞「Ｚ」＞「９」であるとの情報を提供するようになっていればよい。この実施形態では、文字選択のためのプログラム及びデータベースとして、Letter Wise Software（ＵＳ６，２１９，７３１参照）を用いている。
【００２３】
図４は、ＣＰＵ１３によって行われるメッセージ入力機能の処理内容を示したフローチャートであり、図５はメッセージ入力画面の説明図である。リモコン送信機１０のＭＥＳＳＡＧＥキー（図２参照）が押されると、受信装置は文字入力モードに移行し、ＣＰＵ１３は不揮発性メモリ１４にメッセージ記憶内容があるかどうかを判断する（ステップＳ１）。メッセージ記憶内容がある場合には、ＣＰＵ１３は不揮発性メモリ１４に記憶されているメッセージ記憶内容を読み出して画面に表示する（ステップＳ２）。メッセージ記憶内容がない場合には、未入力状態（画面に何も表示していない状態）のメッセージ入力画面を表示させる（ステップＳ３）。
【００２４】
ＣＰＵ１３は、数字キーが押された場合（ステップＳ４でＹＥＳ）には、入力文字判定を行う（ステップＳ５）。入力文字判定処理では、現カーソル位置から例えば４つ前までの文字（空白を含む）に基づいて、データベースの情報を参照して前記テンキーに割り当てられた４つ又は５つの文字を確率が高い順に選択する。最初の文字出力では、最も確率が高いとした文字をメッセージ入力画面に表示する（ステップＳ６）。ＮＥＸＴキーが押された場合には（ステップＳ７でＹＥＳ）、キーに割り当てられた文字のうち次に確率が高いと判定された文字を選択し（ステップＳ８）、メッセージ表示画面の表示文字を変更していく（ステップＳ９）。
【００２５】
ＣＬＥＡＲキーが押された場合には（ステップＳ１０でＹＥＳ）、ＣＰＵ１３は、不揮発性メモリ１４に記憶されているメッセージ記憶内容を消去すると共に（ステップＳ１１）、メッセージ入力画面に表示された文字を消去する（ステップＳ１２）。また、ＳＡＶＥキーが押された場合（ステップＳ１３でＹＥＳ）には、メッセージ入力画面に表示されているメッセージ内容を不揮発性メモリ１４に記憶する（ステップＳ１４）。
【００２６】
また、ＣＰＵ１３はＭＥＳＳＡＧＥキーが押されたかどうかを判断し（ステップＳ１５）、押されなかった場合にはステップＳ４に戻り処理を続ける。一方、ＭＥＳＳＡＧＥキーが押された場合には、メッセージ入力画面の文字が更新されているかどうかを判断し（ステップＳ１６）、更新されていない場合には通常モードへ移行し、更新されている場合には、図５（ｃ）のごとく通常モードへの移行を確認するメッセージとして、例えば「Ｄｏ  ｙｏｕ  ｒｅａｌｌｙ  ｗａｎｔ  ｔｏ  ｅｘｉｔ」を表示する（ステップＳ１７）。ＭＥＳＳＡＧＥキーが押されてから５秒以内に再度ＭＥＳＳＡＧＥキーが押されたかどうかを判断し（ステップＳ１８）、押された場合には通常モードへ移行し、押されていない場合にはステップＳ４に戻り処理を続ける。
【００２７】
以下、上述したメッセージ入力機能によるメッセージ入力の具体的処理例を説明していく。
【００２８】
▲１▼「＿          」状態（未入力状態：図５（ａ）参照）で数字の６キーが押されたとき
ユーザが数字の６キーを押すと、ＣＰＵ１３はカーソルより前４文字を入力文字判定に用いるが、このときカーソルより前に入力された文字は無いのでＣＰＵ１３は４つのブランクが存在するという条件の下でデータベースを参照し、数字の「６」キーに割り当てられた「Ｍ」「Ｎ」「Ｏ」「６」に順位を付ける。上記の場合、入力文字は単語の先頭文字となり、先頭文字として確率が高い順は、「Ｏ」「Ｍ」「Ｎ」「６」であるとの情報がＣＰＵ１３に提供される。よって、画面上にはまず「Ｏ」が表示されることになる。「Ｏ」がユーザの所望の文字でなかった場合には、ＮＥＸＴキーを押すと入力文字判定処理において決定された順番である「Ｍ」「Ｎ」「６」の順に文字を変換して表示させることになる。
【００２９】
▲２▼「Ｗｅ  ｃａｎ  ｃｏｎｓｔａｎｔｌ＿          」の状態から続きを入力するとき（図５（ｂ）参照）
ユーザが数字の９キーを押下すると、ＣＰＵ１３はカーソルより前４文字である「ａｎｔｌ」を用いて入力文字判定処理を行い、数字の９キーに割り当てられた文字「Ｗ」「Ｘ」「Ｙ」「Ｚ」「９」に順位を付ける。この場合、「ａｎｔｌ」に続く文字として確率が高い順は、「Ｙ」「Ｗ」「Ｘ」「Ｚ」「９」と判断されるので、ＣＰＵ１３は第１番目の「Ｙ」を画面上に表示させる。「Ｙ」が所望の文字でなかったときにはＮＥＸＴキーを押すと、入力文字判定処理において決定された順番である「Ｗ」「Ｘ」「Ｚ」「９」の順に文字を変換して表示させることになる。
【００３０】
▲３▼入力内容を修正するとき（「ＰＥＮ」から「ＰＩＮ」へ）
リモコン送信機１０のＬＥＦＴキーを押下し、修正したい文字の位置までカーソルを移動させ、「ＰＥＮ」の状態とする。ここで、ユーザが所望の「Ｉ」が含まれる数字の４キーを押すと、４キーには「Ｅ」が含まれないため「ＥＮ」が削除され、入力文字判定処理において選択された第１番目の文字がカーソル位置に表示される。第１番目の文字が所望でなければ、ユーザはＮＥＸＴキーを用いて「Ｉ」を選択する。次に、「Ｎ」を表示させるため、数字の６キーを押下する。ＣＰＵ１３は、入力文字判定処理によって「Ｎ」の文字を第１番目に表示する処理を行う。
【００３１】
なお、例えば、既入力文字無しの状態で６キーを２回操作すると、「ｏｎ」の２文字が入力される。すなわち、６キーの第１回目操作で「ｏ」が表示され、この文字が所望でなければ、ユーザはＮＥＸＴキーを操作することになるのだが、ＮＥＸＴキーを操作せずに続けて６キーの第２回目操作を行なったため、ＣＰＵ１３は「ｏ」を確定文字（所望の文字）と判断し、この「ｏ」に続く文字として「ｎ」が続く確率が高いと判断し、「ｏｎ」の文字入力が２回という少ないキー操作で実行されることになる。このように、ＮＥＸＴキーとの組み合わせにより、より効率的な文字入力が行なえることになる。
【００３２】
図６は受信装置の電源ＯＮ時の処理内容を示したフローチャートである。受信装置の電源がＯＮされると、ＣＰＵ１３はメッセージ記憶内容が不揮発性メモリ１４に格納されているかどうかを判断する（ステップＳ２１）。メッセージ記憶内容がない場合には通常モードへと移行し放送を受信する。一方、メッセージ記憶内容がある場合には、ＣＰＵ１３はメッセージ記憶内容を２回表示したかどうかを判断する（ステップＳ２２）。２回表示済みの場合には通常モードへ移行し、そうでない場合にはメッセージ表示画面にメッセージ記憶内容を表示する（ステップＳ２３）。そしてＭＥＳＳＡＧＥキーが押下されると（ステップＳ２４）、通常モードへと移行する。尚、上記の説明ではメッセージ記憶内容を２回まで表示することとしたが、表示回数はこれに限るものではなく、ユーザが任意に設定できる構成としてもよい。
【００３３】
上述した例では、メッセージ入力機能を利用し、ユーザがいちから作成したメッセージを不揮発性メモリ１４に保存することとしたが、受信装置が受信したテレテキスト情報をメッセージ内容として保持できる構成としてもよい。テレテキスト情報は、テレテキスト情報が画面表示されているときにユーザがリモコン送信機１０のＳＡＶＥキーを押すと不揮発性メモリ１４に記憶することができるようにしている。ここで、例えば、料理番組を視聴中にテレテキスト情報としてレシピが表示されている場合に、ＳＡＶＥキーを押下することで前記レシピが不揮発性メモリ１４に保存される。
【００３４】
テレテキスト情報をメッセージ記憶内容として入力する例として、外出予定の母親が子供に夕食の準備をお願いするメッセージを受信装置に残す場合を想定する。母親がリモコン送信機１０のＭＥＳＳＡＧＥキーを押すと、以前保存しておいたカレーのレシピが表記されたメッセージ入力画面が表示される。母親はメッセージ入力機能を利用して、「８時頃に戻ります。このレシピ通りにカレーを作っておいてね。」といったメッセージをリモコン送信機１０を用いて前記レシピ部分の前側に入力する。また、メッセージ入力機能を利用して前記レシピの内容を修正することもできる。この修正においては、前述の「ＰＥＮ」を「ＰＩＮ」に修正する要領で行なう。これにより、例えばカレーのレシピ中に子供には分かりづらい表現があった場合にその部分を修正できることになる。勿論、この修正においても、データベースを用いた入力文字判定により、少ないキー操作で修正が行なえる。ＳＡＶＥキーを押すことにより、上記レシピ付きのメッセージは不揮発性メモリ１４に保存される。帰宅した子供が受信装置の電源をＯＮすると、ＣＰＵ１３はメッセージ記憶内容を不揮発性メモリ１４から読み出し、メッセージ表示画面に上記レシピ付きのメッセージが表示されることになる。
【００３５】
また、作成したメッセージを通信機能部１５を用いてＦＡＸ送信できる構成としてもよい。ユーザが、リモコン送信機１０に設けられたＦＡＸキー（図２参照）を押下すると、ＦＡＸ番号／文字入力モードに切り替わり、ＦＡＸ番号入力待ち状態となる。図７はメッセージＦＡＸ機能使用時の入力画面の説明図である。図７に示すとおり、初期画面においてカーソルはＦＡＸ番号入力域２１の１桁目に位置する。このとき、ユーザはリモコン送信機１０を用いてＦＡＸ番号を入力するが、ＦＡＸ番号入力域２１において、数字キーは本来の数字キーとして扱われる。また、市外局番が不要である場合には、ＲＩＧＨＴキーを押下し、カーソルを所定位置まで移動させればよい。ＦＡＸ番号を入力すると、カーソルはメッセージ入力域２２に移動する。ここで、ユーザは上述のメッセージ入力機能を利用して、メッセージを入力する。メッセージを保存したい場合にはＳＡＶＥキーを押し、メッセージを削除したい場合にはＣＬＥＡＲキーを押下する。
【００３６】
ＦＡＸを送信するには、ＳＡＶＥキーの押下の後、ＦＡＸキーを押下すればよい。尚、ＦＡＸの送信動作中には、例えば画面の下辺部に「Ｏｎ  Ｐｒｏｃｅｓｓ」といったメッセージを表示し、送信完了状態になると「ＳＥＮＴ」といったメッセージを表示し、ユーザが送信状態を確認できるようにする。また、ＦＡＸ送信中に送信を中断したい場合には、例えば電源キーを押すことで中断できるようにしてもよい。また、メッセージ入力機能と同様に、メッセージが出ている状態でＭＥＳＳＡＧＥキーを押下することで、ＦＡＸ番号／文字入力モードから通常モードに切り替わる構成としている。また、通常のテレビ受信状態でＦＡＸキーが押されたときに、不揮発性メモリ１４にデータが存在する場合には、記憶内容を表示することとしている。
【００３７】
上記の例では、ＦＡＸ番号を入力し、ＦＡＸを送信することとしたが、ＦＡＸ番号に替えて、Ｅ−ＭＡＩＬアドレスを入力し、Ｅ−ＭＡＩＬを送信できる構成としてもよい。また、上述のリモコン送信機１０においては、数字キーに「ＡＢＣ」等のアルファベットなどを対応させたが、「アイウ・・・」といった日本文字や他の外国で用いられている文字を対応させることとしてもよい。また、アナログ放送受信装置を示したが、ディジタル放送受信装置にも適用できる。この場合、文字情報は例えばデータ放送により得ることができる。
【００３８】
【発明の効果】
以上説明したように、この発明の放送受信装置であれば、受信装置への文字入力において、文字入力のためのキー操作回数を減らし、メッセージ入力に要する時間を短縮することができる。また、入力メッセージをファクシミリ等により送信することもできる。
【図面の簡単な説明】
【図１】この発明の実施形態のテレビジョン受信装置を示したブロック図である。
【図２】リモコン送信機の外観を示した平面図である。
【図３】リモコン送信機１０の各数字キーに割り与える文字を示した説明図である。
【図４】メッセージ入力機能使用時の処理内容を示したフローチャートである。
【図５】同図（ａ）及び（ｂ）及び（ｃ）はメッセージ入力画面の説明図である。
【図６】受信装置起動時の処理内容を示したフローチャートである。
【図７】メッセージＦＡＸ機能使用時の入力画面の説明図である。
【符号の説明】
１    アンテナ
２    チューナ
３    検波回路
４    ビデオ信号処理回路
５    テレテキスト情報抜取部
６    キャラクタジェネレータ
１３  ＣＰＵ
１４  不揮発性メモリ
【図１】
0003819772.tif 000002
【図２】
0003819772.tif 000003
【図３】
0003819772.tif 000004
【図４】
0003819772.tif 000005
【図５】
0003819772.tif 000006
【図６】
0003819772.tif 000007
【図７】
0003819772.tif 000008